(57)【要約】【課題】一般住宅の床面全体を略均一に暖房し、快適な床暖房効果を得ることが可能な床暖房パネルを提供する。【解決手段】均熱シート１と発熱体３と基材４とを含み、根太５間に設置される床暖房パネルであって、該均熱シート１は、発熱体３と基材４とからなる発熱パネル本体Ｐの発熱体３側となる表面部を覆うとともに、上記均熱シート１の両側端は上記発熱パネル本体Ｐの側面部を覆う垂下部１１を形成し、上記均熱シート１と発熱パネル本体Ｐとが一体化されてなる床暖房パネルＡ。好ましくは、上記基材４が断熱性を有する有機系材料または断熱性を有する無機系材料から構成される。【選択図】図３
2010223496.tif 000002
【特許請求の範囲】
【請求項１】
均熱シートと発熱体と基材とを含み、根太間に設置される床暖房パネルであって、該均熱シートは、発熱体と基材とからなる発熱パネル本体の発熱体側となる表面部を覆うとともに、上記均熱シートの両側端は上記発熱パネル本体の側面部を覆う垂下部を形成し、上記均熱シートと発熱パネル本体とが一体化されてなる床暖房パネル。
【請求項２】
上記基材が、断熱性を有する有機系材料または断熱性を有する無機系材料からなる請求項１に記載の床暖房パネル。
【請求項３】
上記均熱シートと発熱体との間に保護部材が介装されてなる請求項１に記載の床暖房パネル。
【請求項４】
上記均熱シートの垂下部を略直角に折り曲げて上記基材の裏面に平行となる水平折曲片を延設するとともに、上記基材と垂下部、水平折曲片を含む均熱シートとが一体化されてなる床暖房パネル。
【発明の詳細な説明】
【技術分野】
【０００１】
本願発明は床暖房パネルに関し、さらに詳しくは、マンションや戸建住宅等、一般住宅の床に施工される床暖房パネルの構造に関するものである。
【背景技術】
【０００２】
近年、快適な居住性への志向が高まる中で、一般住宅のリビングルームやトイレルーム等を暖房する方法として、床に温水循環パイプや種々のタイプの電気ヒーター等の発熱体を内設して床面全体を発熱させる床暖房装置が普及しつつある。このような床暖房装置に関しては、既に各種の技術が開発されており、例えば、特開平６−２８１１７２号公報には、床下への放熱ロスを極めて有効に防止し得る床暖房パネルの布設方法が開示されている。
【０００３】
上記公報には、床暖房装置を敷設する根太間の最大ピッチより巾広のクッション性を有する断熱マットを根太間に押し込み、該断熱マットの長手方向両側裏面を根太に密着させた後、断熱マット上に床暖房装置を敷設することを特徴とする床暖房装置の敷設方法が記載され、前記クッション性を有する断熱マットを床暖房装置の下面に取り付けて、根太間に床暖房装置を敷設する形態も開示されている。
【０００４】
そして、その効果として、根太間に断熱マットを押し込み、該断熱マットの長手方向両側裏面をそれぞれ隣接する根太に完全密着させた後、断熱マット上に床暖房装置を敷設するという極めて簡単な方法で、床下への放熱ロスを極めて有効に防止することができ、床面から室内を効率良く暖房し得るという優れた利点があると記載されている。また、クッション性を有する断熱マットを床暖房装置の下面に取り付けて、根太間に床暖房装置を敷設することにより、作業性を向上させ得る効果があるとも述べられている。
【先行技術文献】
【特許文献】
【０００５】
【特許文献１】特開平６−２８１１７２号公報
【発明の概要】
【発明が解決しようとする課題】
【０００６】
近年、床暖房装置としては、電気ヒーターをパネルユニットに組み込んで加熱する電熱方式のものが普及しつつある。本願図４は、公知の電熱方式の床暖房パネルの一例を示す横断面図である。本願図４に示すように、上記床暖房パネルＣの主要部を構成する発熱体３は、ロックウール、グラスウール、不燃性硬質発泡体等の不燃材料をマット状に形成し、このマット体の中に、通電により発熱するコードヒーター３１を所定のパターンで配設して構成されている。
【０００７】
上記発熱体３は、断熱性を有する有機系の材料または断熱性を有する無機系の材料からなる基材４に接着等の手段によって固着して一体化され、発熱パネル本体Ｐを形成する。そして、この発熱パネル本体Ｐは、アルミ箔等の熱電導性に優れた金属箔、あるいは、金属シート等からなる均熱シート１で覆われるとともに、床下地に渡された根太９と根太９との間に設置され、コードヒーター３１によって発生する熱が均熱シート１の均熱効果により、化粧合板等の床材を均一に加熱するように構成されている。
【０００８】
ここで、本願図４に示す形態は、上記発熱体３の上面に、金属薄板、薄板樹脂パネル、薄板合板、薄板ＭＤＦ等からなる保護部材２が設層されたものであり、この保護部材２は、発熱体３が床面側からの衝撃や突起物の刺突等によって破損することを防止し、保護している。
【０００９】
上記保護部材２、発熱体３、基材４は接着等の手段によって固着一体化されて発熱パネル本体Ｐを形成し、さらに、上記均熱シート１が固着一体化されて公知の床暖房パネルＣが形成される。このように構成された床暖房パネルＣはコンクリートスラブ等、床基礎材上に設けられた根太９と根太９との間、或いは大引き上に設けられた根太９と根太９との間に設置され、根太９で支持された図示しない床材を下面から加温して床暖房が行われる。
【００１０】
ここで、本願図４に示されているように、上記均熱シート１は発熱パネル本体Ｐの側面部、すなわち根太９への接触面を除いて、発熱パネル本体Ｐの表面のみを覆っている。そのため、均熱シート１を介しての根太９への熱伝達が悪く、根太９の真上の床面は温度が上がりにくいという問題がある。とくに、鉄骨プレハブ住宅では根太９に鉄等の金属が使われているため、冬場は冷えた根太９の真上の床面は低温状態にあり、床面は略均一に加温されているとはいえず、快適な床暖房効果を得ることは困難であった。
【００１１】
このように、上記従来の技術では、床下への放熱ロスを極めて有効に防止できるという効果はあるものの、床面全体を略均一に暖房することについての配慮はなく、必ずしも快適な床暖房効果が得られるものとはいえない。
【００１２】
本願発明は、上記背景技術に鑑みてなしたものであり、その目的は、一般住宅の床面全体を略均一に暖房し、快適な床暖房効果を得ることが可能な床暖房パネルを提供することである。
【課題を解決するための手段】
【００１３】
上記課題を解決するために、本願請求項１に記載の発明に係る床暖房パネルは、均熱シートと発熱体と基材とを含み、根太間に設置される床暖房パネルであって、該均熱シートは、発熱体と基材とからなる発熱パネル本体の発熱体側となる表面部を覆うとともに、上記均熱シートの両側端は上記発熱パネル本体の側面部を覆う垂下部を形成し、上記均熱シートと発熱パネル本体とが一体化されてなることを特徴としている。上記均熱シートとしては、アルミ箔等の熱電導性に優れた金属箔、あるいは、金属シート等が好ましく用いられる。
【００１４】
また、本願請求項２に記載の発明においては、上記請求項１に記載の床暖房パネルにおいて、上記基材が、断熱性を有する有機系材料または断熱性を有する無機系材料からなることを特徴としている。上記断熱性を有する有機系材料としては、合板、ＭＤＦ（中密度繊維板）、発泡ウレタン、発泡ポリスチレン、発泡ポリエチレン、フェルト等があげられ、また、断熱性を有する無機系材料としては、ロックウール、グラスウール等があげられる。さらに、真空断熱材も使用可能である。
【００１５】
また、本願請求項３に記載の発明においては、上記請求項１に記載の床暖房パネルにおいて、上記均熱シートと発熱体との間に保護部材が介装されてなることを特徴としている。上記保護部材としては、金属薄板、薄板樹脂パネル、薄板合板、薄板ＭＤＦ等からなる部材が好ましく用いられる。
【００１６】
また、本願請求項４に記載の発明においては、上記請求項１に記載の床暖房パネルにおいて、上記均熱シートの垂下部を略直角に折り曲げて上記基材の裏面に平行となる水平折曲片を延設するとともに、上記基材と垂下部、水平折曲片を含む均熱シートとが一体化されてなることを特徴としている。
【発明の効果】
【００１７】
本願請求項１記載の発明に係る床暖房パネルにおいては、上記均熱シートが発熱体と基材とからなる発熱パネル本体の発熱体側となる表面部を覆い、均熱シートの両側端は上記発熱パネル本体の側面部を覆う垂下部を形成するとともに、発熱パネル本体と一体化されてなるため、根太間に圧接して設置したとき、上記垂下部が根太の側面部に圧接することにより、発熱体を含む発熱パネル本体からの熱を効率的に根太に熱伝達することができる。そして、根太も加温され、根太に支えられる床材も暖められて、発熱パネル本体による床面の下からの加温と相俟って床面全体が略均一に暖められるため、快適な床暖房効果を得ることができる。
【００１８】
また、本願請求項２記載の発明の床暖房パネルにおいては、特に、上記基材が、断熱性を有する有機系材料または断熱性を有する無機系材料からなるため、発熱体からの熱が床下に放熱することを防止するとともに、発熱体を裏面で補強してボード化することにより、発熱体と一体化して剛性に優れた発熱パネル本体を形成することができる。
【００１９】
また、本願請求項３記載の発明の床暖房パネルにおいては、特に、上記均熱シートと発熱体との間に保護部材が介装されてなるため、金属薄板、薄板樹脂パネル、薄板合板、薄板ＭＤＦ等からなる保護部材を積層することにより、発熱体が床面側からの衝撃や突起物の刺突等によって破損することを防止できる。
【００２０】
また、本願請求項４記載の発明の床暖房パネルにおいては、特に、上記均熱シートの垂下部を略直角に折り曲げて水平折曲片を延設しているため、上記基材と垂下部、水平折曲片を含む均熱シートは、上記水平折曲片が基材の裏面に巻き込まれように一体化されるため、しっかりと発熱パネル本体を覆うことができる。
【００２１】
さらに、床暖房パネルを根太と根太との間に押し込むとき、折曲によって生じたアール部が根太と当接するため、抵抗感なく押し込むことが可能となり、垂下部が剥がれることなく、作業性よく根太間に圧接して設置することができる。
【図面の簡単な説明】
【００２２】
【図１】本願発明に係る複数の床暖房パネルを根太間に圧接して設置した状態を示す概略平面図。
【図２】図１におけるＸ−Ｘ線に沿う断面図。
【図３】（イ）は本実施形態に係る床暖房パネルの構造を示す断面図、（ロ）は本願発明の他の実施形態に係る床暖房パネルの構造を示す断面図。
【図４】公知の電熱方式の床暖房パネルの一例を示す断面図。
【発明を実施するための形態】
【００２３】
以下、本願発明に係る床暖房パネルの実施形態について図面を参照して詳細に説明する。図１は、本願発明に係る複数の床暖房パネルＡを根太５間に圧接して設置した状態を示す概略平面図である。図１において、符号８は後記するコードヒーター３１へ通電するための電源供給部である。
【００２４】
図２は、図１におけるＸ−Ｘ線に沿う断面図であり、点線で示す部分は上記根太５に固定される床材７を示す。図３（イ）は、本実施形態に係る床暖房パネルＡの構造を示す断面図である。図３（ロ）は、本願発明の他の実施形態に係る床暖房パネルＢの構造を示す断面図である。
【００２５】
図２に示すように、上記床暖房パネルＡは、床下への放熱ロスを防止するため、例えば、発泡ウレタン、発泡ポリスチレン、発泡ポリエチレン等の公知の断熱材６を介してコンクリートスラブ等の床基礎材Ｓに固定されている。
【００２６】
ここで、図３（イ）に示すように、保護部材２、発熱体３、基材４が積層して発熱パネル本体Ｐを形成するとともに、この発熱パネル本体Ｐを覆うように均熱シート１が積層されて上記床暖房パネルＡが形成される。上記発熱体３には発熱部としてのコードヒーター３１が内設され、上記均熱シート１は、その長手方向両側端が垂下して垂下部１１を形成し、さらに、上記均熱シート１の垂下部１１は略直角に内側に折り曲げられて上記基材４の裏面に平行となる水平折曲片１２が延設される。
【００２７】
上記水平折曲片１２は基材４の裏面に巻き込まれるように被覆され、かくして、垂下部１１、水平折曲片１２を含む均熱シート１と発熱パネル本体Ｐとが固着、一体化して、本実施形態に係る床暖房パネルＡが形成される。
【００２８】
上記のように構成された床暖房パネルＡは、図２に示すように、根太５と根太５との間に押し込まれて設置される。このとき、均熱シート１の垂下部１１が根太５の側面部に圧接し、根太５はその両側面から上記垂下部１１を介して加温される。このようにして加温された根太５で支えられる床材７も伝熱により加温され、発熱パネル本体Ｐによる下からの床面の加温と相俟って床面全体が略均一に暖められ、快適な床暖房効果を得ることができる。
【００２９】
また、図３（イ）に示すように、上記均熱シート１の垂下部１１を略直角に内側に折り曲げて水平折曲片１２を延設することによりアール部Ｒが形成され、このアール部Ｒが根太５に当接するため、抵抗感なく押し込むことができる。その結果、垂下部１１が剥がれることなく、床暖房パネルＡを作業性よく根太５間に設置することができる。
【００３０】
図３（ロ）は、上記水平折曲片１２を延設せずに、均熱シート１の垂下部１１のみで発熱パネル本体Ｐの側面部を覆った本願発明の他の実施形態に係る床暖房パネルＢの構造を示す断面図である。上記他の実施形態においては、発熱パネル本体Ｐの裏面である基材４の底面を巻き込むように均熱シート１の水平折曲片１２を被覆する作業工程を省略できるため、簡単に床暖房パネルＢを製作できる。
【００３１】
また、垂下部１１の存在により、床暖房パネルＢを根太５間に容易に圧接できるとともに、発熱パネル本体Ｐからの熱によって根太５も加温され、発熱パネル本体Ｐによる下からの床面の加温と相俟って床面全体が略均一に加温されるため、快適な床暖房効果を得ることができる。
【００３２】
なお、上記実施形態は、床暖房を電熱により行う方式について述べたが、これに限られず、床に温水循環パイプを設ける方式としてもよい。このように本願発明に係る床暖房パネルは設計変更自在であり、特許請求の範囲を逸脱しない限り、いずれの場合も本願発明の技術的範囲に属する。
【符号の説明】
【００３３】
Ａ      本実施形態に係る床暖房パネル
Ｂ      本願発明の他の実施形態に係る床暖房パネル
Ｃ      公知の床暖房パネル
Ｐ      発熱パネル本体
Ｒ      アール部
Ｓ      床基礎材
１      均熱シート
１１    垂下部
１２    水平折曲片
２      保護部材
３      発熱体
３１    コードヒーター
４      基材
５      根太
６      断熱材
７      床材
８      電源供給部
９      公知の床暖房パネルにおける根太
【図１】
2010223496.tif 000003
【図２】
2010223496.tif 000004
【図３】
2010223496.tif 000005
【図４】
2010223496.tif 000006